(57)【要約】【課題】  コンクリート製品に対する長尺シール材の貼り付け作業を良好に行うことができるコンクリート製品の長尺シール材を提供する。【解決手段】  隣接する両コンクリート製品１の相対する接続面２、４の間に圧縮状態で介在されることで、両接続面２、４をシールするコンクリート製品の長尺シール材１０であって、一方向に沿って長尺に形成された弾性圧縮可能な発泡体よりなる弾性芯体１１と、その弾性芯体１１の表面を長手方向の全長にわたって被いかつコンクリート製品の接続面に貼り付く粘着性ゴムよりなる粘着性外層体２０とを備える。弾性芯体１１と粘着性外層体２０のうち、少なくとも一方の部材には、長手方向の伸縮を抑制する線材３０が埋設されている。【選択図】        図１
2005273750.tif 000002
【特許請求の範囲】
【請求項１】
隣接する両コンクリート製品の相対する接続面の間に圧縮状態で介在されることで、前記両接続面をシールするコンクリート製品の長尺シール材であって、
一方向に沿って長尺に形成された弾性圧縮可能な発泡体よりなる弾性芯体と、その弾性芯体の表面を長手方向の全長にわたって被いかつ前記コンクリート製品の接続面に貼り付く粘着性ゴムよりなる粘着性外層体とを備え、
前記弾性芯体と前記粘着性外層体のうち、少なくとも一方の部材には、長手方向の伸縮を抑制する線材が埋設されていることを特徴とするコンクリート製品の長尺シール材。
【請求項２】
請求項１に記載のコンクリート製品の長尺シール材であって、
線材は、粘着性外層体に対し密着性に優れかつ引張強度が大きい糸材によって形成され前記粘着性外層体の全長にわたって埋設されていることを特徴とするコンクリート製品の長尺シール材。
【発明の詳細な説明】
【技術分野】
【０００１】
この発明は、隣接する両コンクリート製品の相対する接続面の間に圧縮状態で介在されることで、前記両接続面をシールするコンクリート製品の長尺シール材に関する。
【背景技術】
【０００２】
従来、この種のコンクリート製品の長尺シール材においては、一方向に沿って長尺に形成された弾性圧縮可能な発泡体（例えばスポンジゴム）よりなる弾性芯体と、その弾性芯体の表面を長手方向の全長にわたって被いかつコンクリート製品の接続面に貼り付く粘着性ゴム（例えば、未加硫のブチルゴム）よりなる粘着性外層体と、を備えた構造のものが知られている（例えば、特許文献１）。
【特許文献１】特開平８−１８４０９１号公報
【発明の開示】
【発明が解決しようとする課題】
【０００３】
ところで、前記したような構造をもつ長尺シール材において、コンクリート製品の接続面に対し長尺シール材をその一側面の貼付面によって貼り付ける際、直線部分においては蛇行することがないように長尺シール材に対し所定の張力を付与した状態で貼り付けられる。
粘着性ゴムよりなる粘着性外層体は弾性力が小さく一旦伸ばされると、元の状態に弾性縮小することが小さいが、スポンジゴム等よりなる弾性芯体は、弾性的に引き伸ばされた分だけ元の状態に弾性縮小しようとする。
このため、長尺シール材に対し、前記したように所定の張力を付与すると、弾性芯体及び粘着性外層体が共に長手方向に伸長される。この状態で長尺シール材を、その粘着性外層体の貼付面においてコンクリート製品の接続面に貼り付けると、弾性芯体が元の状態に弾性縮小しようとする弾性力によって粘着性外層体が縮小され、これによってコンクリート製品の接続面から長尺シール材が剥がれて脱落する場合がある。この結果、コンクリート製品に対する長尺シール材の貼り付け作業が厄介であった。
【０００４】
この発明の目的は、前記従来の問題点に鑑み、コンクリート製品に対する長尺シール材の貼り付け作業を良好に行うことができるコンクリート製品の長尺シール材を提供することである。
【課題を解決するための手段】
【０００５】
前記目的を達成するために、この発明の請求項１に係るコンクリート製品の長尺シール材は、隣接する両コンクリート製品の相対する接続面の間に圧縮状態で介在されることで、前記両接続面をシールするコンクリート製品の長尺シール材であって、
一方向に沿って長尺に形成された弾性圧縮可能な発泡体よりなる弾性芯体と、その弾性芯体の表面を長手方向の全長にわたって被いかつ前記コンクリート製品の接続面に貼り付く粘着性ゴムよりなる粘着性外層体とを備え、
前記弾性芯体と前記粘着性外層体のうち、少なくとも一方の部材には、長手方向の伸縮を抑制する線材が埋設されていることを特徴とする。
【０００６】
前記構成において、コンクリート製品の接続面に対し長尺シール材をその一側面の貼付面によって貼り付ける際、直線部分においては蛇行することがないように長尺シール材に対し所定の張力を付与した状態で貼り付けられる。
この際、弾性芯体と粘着性外層体のうち、少なくとも一方の部材に埋設された線材によって長尺シール材（弾性芯体及び粘着性外層体）の伸びが小さく抑えられ、その分だけ弾性芯体が元の状態に弾性縮小しようとする弾性力が小さくなる。
また、弾性芯体が元の状態に弾性縮小しようとすることが線材によって抑えられる。
この結果、弾性芯体の弾性伸縮が原因となる長尺シール材の剥がれや脱落を防止することができる。
【０００７】
また、請求項２に係るコンクリート製品の長尺シール材は、請求項１に記載のコンクリート製品の長尺シール材であって、
線材は、粘着性外層体に対し密着性に優れかつ引張強度が大きい糸材によって形成され前記粘着性外層体の全長にわたって埋設されていることを特徴とする。
したがって、粘着性外層体に対し密着性に優れかつ引張強度が大きい糸材によって線材が形成されることで長尺シール材（弾性芯体及び粘着性外層体）の伸びをより一層小さく抑えることができ、コンクリート製品の接続面に対する長尺シール材の貼り付け作業の能率向上に効果が大きい。
【発明の効果】
【０００８】
この発明によると、弾性芯体と粘着性外層体のうち、少なくとも一方の部材に埋設された線材によって長尺シール材（弾性芯体及び粘着性外層体）の伸びを小さく抑えることができる。このため、弾性芯体の弾性伸縮が原因となる長尺シール材の剥がれや脱落を防止することができ、コンクリート製品の接続面に対し長尺シール材を、その粘着性外層体において良好に貼り付けることができる。
【発明を実施するための最良の形態】
【０００９】
次に、この発明を実施するための最良の形態を実施例にしたがって説明する。
【実施例】
【００１０】
図１はこの発明の実施例に係る長尺シ−ル材を破断して示す斜視図である。図２は一方のボックスカルバートの接続面に長尺シ−ル材が貼り付けられた状態を破断して示す斜視図である。図３は一方のボックスカルバートの接続面の長尺シ−ル材が貼り付けられた状態を拡大して示す断面図である。図４は隣接するボックスカルバートの接続面の間に長尺シ−ル材が圧縮された状態を示す断面図である。
図２に示すように、コンクリート製品としてのボックスカルバート１は、両端開口する方形箱形状に形成され、所要数（複数）のボックスカルバート１は直列に連接されて水路を構成する。
隣接するボックスカルバート１の相対する接続面２、４のうち、一方の接続面２には、長尺シール材１０が、その一側面において貼り付けられる底面を有する凹部３が環状に形成されている。
【００１１】
図１に示すように、長尺シール材１０は、弾性芯体１１と、その弾性芯体１１の長手方向の表面を被う粘着性外層体２０と、を備えて構成されている。
この実施例において、弾性芯体１１は、弾性圧縮可能な発泡体、例えば、ＥＰＤＭスポンジ材により横断面略円形をなして一方向に長尺に形成されている。
また、粘着性外層体２０は、ボックスカルバート１の接続面２の凹部３底面に貼り付く粘着性ゴム、例えば、未加硫のブチルゴムよりなり、弾性芯体１１の全表面を長手方向の全長にわたって被う横断面略台形をなし、かつ押出成形によって形成されている。
また、粘着性外層体２０の底辺をなす貼付面２１には、その貼付面２１に塵や埃が付着することがないように保護する離型紙２５が剥離可能に貼り付けられている。
【００１２】
弾性芯体１１と粘着性外層体２０のうち、少なくとも一方の部材には、長手方向の伸縮を抑制する所定本数（複数本又は単数本）の線材３０が埋設されている。
この実施例においては、図１に示すように、粘着性外層体２０の底辺の貼付面２１に近い左右両側部近傍において２本の線材３０が粘着性外層体２０の長手方向の全長にわたってそれぞれ埋設されている。なお、線材３０は、粘着性外層体２０が押出成形によって形成される際に、その粘着性外層体２０の所定位置にインサートされる。
また、この実施例において、線材３０は、粘着性外層体２０に対し密着性に優れかつ引張強度が大きい糸材、撚糸材によって形成されている。
特に、線材３０は、ゴム（未加硫のブチルゴム）に対し密着性に優れかつ引張強度が大きいガラス長繊維を主成分とする撚糸材によって形成されることが望ましい。
【００１３】
この実施例に係るコンクリート製品の長尺シール材１０は上述したように構成される。
したがって、図２と図３に示すように、一方のボックスカルバート１の接続面２に形成された凹部３の底面に長尺シール材１０を貼り付ける前に離型紙２５が剥がされる。その後、長尺シール材１０が、その粘着性外層体２０の貼付面２１において貼り付けられる。
ボックスカルバート１の接続面２の凹部３底面に対し、長尺シール材１０を、その粘着性外層体２０の貼付面２１において貼り付ける際、直線部分においては蛇行することがないように長尺シール材１０に対し所定の張力を付与した状態で貼り付けられる。
この際、弾性芯体１１と粘着性外層体２０のうち、少なくとも一方の部材に埋設された線材３０によって長尺シール材（弾性芯体１１及び粘着性外層体２０）１０の伸びが小さく抑えられ、その分だけ弾性芯体１１が元の状態に弾性縮小しようとする弾性力が小さくなる。
また、弾性芯体１１が元の状態に弾性縮小しようとすることが線材３０によって抑えられる。
この結果、弾性芯体１１の弾性伸縮が原因となる長尺シール材１０の剥がれや脱落を防止して、ボックスカルバート１の接続面２の凹部３底面に長尺シール材１０を良好に貼り付けることができる。
【００１４】
しかも、この実施例において、線材３０は、粘着性外層体２０に対し密着性に優れかつ引張強度が大きいガラス長繊維を主成分とする撚糸材によって形成され、粘着性外層体２０の全長にわたって埋設されている。このため、長尺シール材１０（弾性芯体１１及び粘着性外層体２０）の伸びをより一層小さく抑えることができ、ボックスカルバート１の接続面２の凹部３底面に対する長尺シール材１０の貼り付け作業の能率向上に効果が大きい。
【００１５】
前記したように、一方のボックスカルバート１の接続面２に長尺シール材１０が貼り付けられた後、図に示すように、その長尺シール材１０の他側面に対し、他方のボックスカルバ−ト１の接続面４が当接されるとともに、各ボックスカルバート１が相互に位置ずれすることなく位置合せ調整される。
ここで、締付手段（図示しない）によって各ボックスカルバート１の相対する接続面２、４が所要の間隔をもって接近され、これら接続面２、４との間に長尺シール材１０が所要の圧縮率（例えば５０％前後の圧縮率）において圧縮されることで、相対する接続面２、４が長尺シール材１０によって水密状態で接続される。
【００１６】
なお、この発明は前記実施例に限定するものではない。
例えば、前記実施例においては、コンクリート製品が箱形状のボックスカルバート１である場合を例示したが、コンクリート製構造物、コンクリート製側溝等であってもこの発明の長尺シール材１０を採用することができる。
また、前記実施例においては、弾性芯体１１が横断面略円形であり、弾性芯体１１を被う粘着性外層体２０が横断面略台形である場合を例示したが、弾性芯体１１の横断面形状を略三角形、略四角形、略台形、略多角形、略楕円形等に形成してもこの発明を実施することができる。また、粘着性外層体２０の横断面形状においても、略円形、略三角形、略四角形、略多角形、略楕円形等に形成してもこの発明を実施することができる。
また、弾性芯体１１に対し、長手方向の伸縮を抑制する複数本又は単数本の線材３０を埋設してもこの発明を実施することができ、さらに、弾性芯体１１及び粘着性外層体２０のそれぞれに、長手方向の伸縮を抑制する複数本又は単数本の線材３０を埋設してもこの発明を実施することができにる。
【図面の簡単な説明】
【００１７】
【図１】この発明の実施例の長尺シ−ル材を破断して示す斜視図である。
【図２】同じく一方のボックスカルバートの接続面に長尺シ−ル材が貼り付けられた状態を破断して示す斜視図である。
【図３】同じく一方のボックスカルバートの接続面の長尺シ−ル材が貼り付けられた状態を拡大して示す断面図である。
【図４】同じく隣接するボックスカルバートの接続面の間に長尺シ−ル材が圧縮された状態を示す断面図である。
【符号の説明】
【００１８】
１  ボックスカルバート（コンクリート製品）
２、４  接続面
１０  長尺シ−ル材
１１  弾性芯体
２０  粘着層
３０  線材
【図１】
2005273750.tif 000003
【図２】
2005273750.tif 000004
【図３】
2005273750.tif 000005
【図４】
2005273750.tif 000006